(57)【特許請求の範囲】
【請求項１】
記憶手段と、入力手段と、文字入力手段と、楽曲再生手段と、映像再生手段と、制御手段とを備えた楽音再生装置であって、
記憶手段は、楽曲に対応した楽曲情報と歌詞情報を記憶し、
歌詞情報は、歌詞に割り当てられた色変わリタイミングデータを含み、
入力手段は、利用者による楽曲の選択を受け付け可能とし、
文字入力手段は、利用者による入力に基づいて置換固有名詞情報を作成し、
楽曲再生手段は、制御手段の制御にしたがって楽音を再生出力し、
映像再生手段は、制御手段の制御にしたがって映像を再生出力し、
制御手段は、第１−４処理を行い、
第１処理は、入力手段で選択された楽曲の歌詞情報を読み出し、
第２処理は、第１処理で読み出した歌詞情報から固有名詞情報を検出し、
第３処理は、歌詞情報における固有名詞情報を作成された置換固有名詞情報に変更すると共に、固有名詞情報に割り当てられている色変わリタイミングデータを置換固有名詞情報に割り付けて置換歌詞情報を作成し、
第４処理は、第１処理で選択された楽曲の楽曲情報を楽曲再生手段に再生させて楽音を再生出力させると共に、第３処理で作成された置換歌詞情報に基づいて歌詞の色変えを行いながら映像再生手段に映像を再生出力させる楽音再生装置。
【請求項２】
文字入力手段は、手書き入力手段と、文字識別手段と、変換手段とを備え、
手書き入力手段は、利用者による手書き文字を入力可能とし、
文字識別手段は、手書き文字の識別を行い、
変換手段は、識別された手書き文字を変換して置換固有名詞情報を作成する請求項１に記載の楽音再生装置。
【請求項３】
歌詞情報には、固有名詞情報の箇所を示す識別情報が含まれ、
第２処理は、識別情報に基づいて固有名詞情報を検出する
請求項１または２に記載の楽音再生装置。
【請求項４】
文字入力手段は、作成された置換固有名詞情報を映像再生手段に再生出力させる請求項１ないし請求項３のいずれか１つに記載の楽音再生装置。
【請求項５】
第２処理は、検出した固有名詞情報を、映像再生手段に再生出力させる請求項１ないし請求項４のいずれか１つに記載の楽音再生装置。
【発明の詳細な説明】
【０００１】
【発明の属する技術分野】
この発明は、楽曲を再生する楽音再生装置であって、モニタにカラオケ用の背景映像および歌詞映像を表示してカラオケを行うカラオケ装置として好適なものに関する。
【０００２】
【従来の技術】
従来、カラオケの背景映像および歌詞映像をモニタ画面に表示し、カラオケ曲およびマイク音声をアンプおよびスピーカで再生するカラオケ装置が知られている。
【０００３】
【発明が解決しようとする課題】
ところで、上記カラオケ曲の中には、人の名前や地名などの固有名詞を含む歌が多く存在する。このような歌は、その固有名詞が、自分に関係の深いものである程、親しみが増し、歌っても楽しいものであるが、たとえば、歌に含まれている人の名前が、カラオケをする者に関係のある名前であったり、地名がカラオケ装置の設置してある地域と一致したり、カラオケをする者に関係のある地であったりすることは希である。
そこで、歌に含まれている固有名詞の部分を自分の好きな固有名詞に置き換えて歌うことが行われている。
しかし、固有名詞の部分を置き換えて歌うことができても、歌詞映像の固有名詞を示す部分は変更できないため、歌と歌詞映像とが一致しないという問題がある。
つまり、今一つ曲に対する親しみがわかず、場の雰囲気が盛り上がらないという問題がある。
【０００４】
そこで、本発明は、歌詞映像情報に含まれる固有名詞映像を他の固有名詞映像に変更できる楽音再生装置の実現を目的とする。
【０００５】
【課題を解決するための手段】
本発明は、上記目的を達成するため、
請求項１に記載の発明では、記憶手段と、入力手段と、文字入力手段と、楽曲再生手段と、映像再生手段と、制御手段とを備えた楽音再生装置であって、
記憶手段は、楽曲に対応した楽曲情報と歌詞情報を記憶し、
歌詞情報は、歌詞に割り当てられた色変わリタイミングデータを含み、
入力手段は、利用者による楽曲の選択を受け付け可能とし、
文字入力手段は、利用者による入力に基づいて置換固有名詞情報を作成し、
楽曲再生手段は、制御手段の制御にしたがって楽音を再生出力し、
映像再生手段は、制御手段の制御にしたがって映像を再生出力し、
制御手段は、第１−４処理を行い、
第１処理は、入力手段で選択された楽曲の歌詞情報を読み出し、
第２処理は、第１処理で読み出した歌詞情報から固有名詞情報を検出し、
第３処理は、歌詞情報における固有名詞情報を作成された置換固有名詞情報に変更すると共に、固有名詞情報に割り当てられている色変わリタイミングデータを置換固有名詞情報に割り付けて置換歌詞情報を作成し、
第４処理は、第１処理で選択された楽曲の楽曲情報を楽曲再生手段に再生させて楽音を再生出力させると共に、第３処理で作成された置換歌詞情報に基づいて歌詞の色変えを行いながら映像再生手段に映像を再生出力させるという技術的手段を採用する。
【０００６】
請求項２に記載の発明では、請求項１に記載の楽音再生装置において、文字入力手段は、手書き入力手段と、文字識別手段と、変換手段とを備え、
手書き入力手段は、利用者による手書き文字を入力可能とし、
文字識別手段は、手書き文字の識別を行い、
変換手段は、識別された手書き文字を変換して置換固有名詞情報を作成するという技術的手段を採用する。
【０００７】
請求項３に記載の発明では、請求項２に記載の楽音再生装置において、歌詞情報には、固有名詞情報の箇所を示す識別情報が含まれ、
第２処理は、識別情報に基づいて固有名詞情報を検出するという技術的手段を採用する。
【０００８】
請求項４に記載の発明では、請求項１〜３に記載の楽音再生装置において、文字入力手段は、作成された置換固有名詞情報を映像再生手段に再生出力させるという技術的手段を採用する。
【０００９】
請求項５に記載の発明では、請求項２ないし請求項４のいずれか１つに記載の楽音再生装置において、第２処理は、検出した固有名詞情報を、映像再生手段に再生出力させるという技術的手段を採用する。
【００１４】
【作用】
請求項１ないし請求項５に記載の発明では、少なくとも上記楽曲情報に対応する歌詞に地名または名前からなる固有名詞が含まれている場合に、その固有名詞を他の固有名詞に変更するため、自分の好きな固有名詞に変更することができる。
したがって、後述する発明の実施の形態に記載するように、歌詞の中の人の名前や地名などを自分の好きな固有名詞に変更してモニタに表示することができるため、歌と歌詞とが一致し、より一層親しみを持って歌うことができるし、歌を聞く者にも共感を与えることができる。
【００１５】
特に、請求項２に記載の発明では、手書き入力手段により上記他の固有名詞を表す文字を入力することができる。そして、上記歌詞に含まれる固有名詞を、他の固有名詞に変換することができる。
【００１６】
また、請求項２に記載の発明では、文字を手書きで入力する手書き入力手段が備えられているため、文字入力を容易に行うことができる。
【００１８】
また、請求項３に記載の発明では、固有名詞であることを示す識別情報が含まれているため、その識別情報に基づいて固有名詞を検出することができる。
【００１９】
さらに、請求項４に記載の発明では、入力した文字を確認することができ、文字の入力誤りを防止することができる。
【００２０】
また、請求項５に記載の発明では、歌詞に含まれている固有名詞の種類および数を知ることができる。
【００２２】
【発明の実施の形態】
以下、本発明の楽音再生装置の一実施形態について図を参照して説明する。
なお、以下の実施形態では、楽音再生装置として、通信回線を利用して曲が提供される、いわゆる通信カラオケ装置を代表に説明する。
最初に、本発明第１実施形態のカラオケ装置の主要構成について、その外観を示す図１を参照して説明する。
【００２３】
図１に示すように、カラオケ装置１０には、カラオケ用の背景映像と、歌詞を示す歌詞映像とを表示するＣＲＴモニタ（以下、ＣＲＴと略称する）１２と、歌い手のモニタ用のＣＲＴ１４とが備えられている。また、電話回線３１を介しての楽曲情報たる曲データの蓄積、選曲、曲の予約などの制御、マイク９１，９２から入力される音声と楽曲たるカラオケ曲とのミキシング、音声とカラオケ曲との音量バランス、エコー調整、ディレイ調整、音程の変更（キーチェンジ）などの音声制御、ならびに、ＣＲＴ１２，１４に表示される映像の切替え、合成、分割などの映像制御などの各種制御を行う制御装置２０が備えられている。
【００２４】
さらに、制御装置２０から出力される音声信号の増幅、高音、低音の制御（トーンコントロール）などを行うアンプ１６と、このアンプ１６から出力される音声信号を音として再生する１組のスピーカ９３，９３と、天井用の１組のスピーカ９０，９０と、制御装置２０を遠隔操作する送信器６０とが備えられている。
【００２５】
次に、制御装置２０の装備について図２を参照して説明する。
図２（ａ）は、カラオケ装置に備えられた制御装置の前面パネルの説明図、同図（ｂ）は、制御装置の背面パネルの説明図である。
図２（ａ）に示すように、制御装置２０の前面パネルには、マイク９１，９２から入力される音声とカラオケ曲との音量のバランス調整を行うためのバランス調整つまみ２１と、エコーのかかり具合を調整するためのエコー調整つまみ２２と、ディレイのかかり具合を調整するためのディレイ調整つまみ２３とが設けられている。
【００２６】
さらに、送信器６０から送信される光信号を受光するための受光部２４と、選曲された曲の曲番号を表示する曲番号表示体２５と、変更されたキーの位置を表示するキー表示部２６と、マイク９１，９２のジャックを差し込むマイク端子２７，２８とが設けられている。
【００２７】
一方、図２（ｂ）に示すように、制御装置２０の背面パネルには、カラオケ用の音楽データおよび歌詞映像データから構成される楽曲情報たる曲データを受信するための電話回線３１（図１、図５参照）を接続する電話回線接続端子３２が設けられており、その右方には、ＣＲＴ１２の映像入力端子（図示省略）と接続される映像出力端子３４と、ＣＲＴ１４の映像入力端子（図示省略）と接続される映像出力端子３５とが設けられている。また、背面パネルの左端には、アンプ１６の音声入力端子（図示省略）と接続される音声出力端子３６が設けられている。
【００２８】
次に、送信器６０の構成について図３および図４を参照して説明する。
図３は、送信器６０の外観説明図であり、図４は、送信器６０の制御系を示すブロック図である。
図３に示すように、送信器６０の右上には、送信器６０の電源をＯＮ、ＯＦＦする電源ボタン６１が設けられており、その下側には、選曲番号などを表示する液晶ディスプレイ６２が設けられている。この液晶ディスプレイ６２の下側には、文字を手書きで入力するための文字入力手段たるタブレット（ディジタイザ）７４が設けられている。
【００２９】
タブレット７４の下側には、スピーカ９３，９３、スピーカ９０，９０から出る音量を調整する音量調整ボタン６３が設けられており、その下側には、曲の演奏を開始させる演奏ボタン６４と、その演奏を停止させる停止ボタン６５が設けられている。それらボタンの下側には、選曲の開始、選曲の確定を行う選曲ボタン６６と、選曲の取消しを行う取消ボタン６７とが設けられている。
【００３０】
それらボタンの下側には、選曲する曲の番号を入力するＡ、Ｂ、および０〜９のテンキー６８と、キーチェンジを行うキーチェンジボタン６９と、エコーのかかり具合を調整するエコー調整ボタン７０とが設けられている。このエコー調整ボタン７０の下側には、歌詞に含まれている人の名前や地名などの固有名詞の変更を開始するための変更ボタン７５と、その変更の取消しをするための取消ボタン７６とが設けられている。また、それらボタンの下側には、タブレット７４に入力して文字認識された文字が思っていた文字と異なる場合に次の候補の文字を表示させるための次候補ボタン７７と、固有名詞の変更操作が終了したときに押す終了ボタン７８とが設けられている。
なお、上記各ボタンを押すと、各ボタンそれぞれの機能に対応する光信号が、発信窓７３に内蔵されたＬＥＤから発せられ、その光信号は、制御装置２０の受光部２４により受光される。
【００３１】
次に、送信器６０の制御系の構成について図４を参照して説明する。
図４に示すように、送信器６０には、上記各ボタンの有する機能に対応する信号を送信するための各種制御を行うＣＰＵ７９が内蔵されている。このＣＰＵ７９には、タブレット７４に手書き入力された文字と比較するための比較用文字データが記憶されたＲＯＭ８１と、タブレット７４に手書き入力された文字をＣＰＵ７９により処理できる文字データに変換するとともに、その文字データに対応する文字をＲＯＭ８１に記憶された比較用文字データから検索することにより文字を認識（特定）する文字認識回路８３とが接続されている。
【００３２】
また、ＣＰＵ７９には、文字認識回路８３による文字認識の結果、ＲＯＭ８１から読出された文字データを一時保存するＲＡＭ８０と、上記文字認識を行うための文字認識プログラムや上記各種ボタンが有する機能に対応するコマンドデータなどが記憶されたＲＯＭ８２が接続されている。さらに、ＣＰＵ７９には、上記ＲＯＭ８１から読出された文字データやテンキー６８に対応する符号を示すデータなどを入力して液晶ディスプレイ６２に表示するための表示信号に変換する表示回路８４と、ＲＯＭ８２に記憶されたコマンドデータに対応する波形を有する送信信号を生成する波形生成回路８５とが接続されている。
【００３３】
次に、上記制御装置２０の制御系の構成について図５を参照して説明する。
制御装置２０には、歌詞映像情報に含まれている固有名詞映像の検索や固有名詞映像の変更などの制御や、上記音声制御、映像制御、曲の演奏順序の予約および演奏順序の変更などをプログラムにしたがって行うＣＰＵ３７が備えられている。このＣＰＵ３７には、送信器６０から送信される送信データ、予約された曲の番号および曲名データなどを一時保存するＲＡＭ３８と、この制御装置２０に接続された電話回線３１を利用するための電話番号や、送信器６０から送信されるコマンドに対応する制御コマンドなどが記憶されたＲＯＭ３９が接続されている。
【００３４】
また、ＣＰＵ３７には、文字フォントデータが記憶されたフォントＲＯＭ４１と、このフォントＲＡＭ４１から読出された文字データを一時保存する、他の固有名詞映像記憶手段たるＲＡＭ５１と、歌詞映像にテロップをかけるためのテロップデータや、各種メッセージを示すデータなどが記憶されたビデオＲＡＭ５２とが接続されている。
さらに、ＣＰＵ３７には、ホストコンピュータ９４から電話回線３１および通信端子３２を介して受信され、通信用モデム４２によりデジタル信号に変換された曲データを蓄積するハードディスクメモり４３が接続されている。このハードディスクメモリ４３には、上記各プログラムが記録されている。
【００３５】
さらに、ＣＰＵ３７には、ハードディスクメモリ４３に蓄積された曲データ中のＭＩＤＩデータを入力するとともに、そのＭＩＤＩデータに対応する音源データをＭＩＤＩ音源４４１から抽出し、その抽出された音源データをアンプ１６によって増幅可能なアナログの音楽信号に変換したり、マイク９１，９２から入力された音声信号にエコーやディレイをかけたりする音声制御回路４４が接続されている。
【００３６】
また、ＣＰＵ３７には、カラオケの背景映像データが記録された光ディスクを再生するＬＤ再生装置４０から出力される背景映像データと、ハードディスクメモリ４３に記憶された曲データ中の歌詞映像データとを入力し、ＣＲＴ１２、１４に表示される映像として、背景映像中に歌詞映像や曲番号および曲目の映像がスーパーインポーズされた映像（図１０参照）を作成したり、それら各映像の切替え、合成および分割などの制御を行う映像制御回路４５が接続されている。
【００３７】
さらに、ＣＰＵ３７には、受光部２４により受光された光信号をデジタルデータに変換する受光回路４６と、曲番号表示体２５に曲番号を表示するための表示信号と、キー表示体２６にキーの位置を表示するための表示信号とを作成する表示回路４７が接続されている。また、ＣＰＵ３７には、つまみ２１ないし２３の調整により変化した信号の入力を行う入力回路４８が接続されている。
【００３８】
次に、カラオケ装置１０の一連の動作について図を参照して説明する。
まず、送信器６０の電源ボタンを押すと、電池８６の電力が供給されて送信器６０が起動する。そして、選曲ボタン６６を押すと、選曲を指示するコマンドデータを含む送信信号が送信器６０から発信され、制御装置２０に設けられた受光部２４により受光される。続いて、ＣＰＵ３７は、その送信信号に含まれるコマンドデータを検出して、映像制御回路４５により、ＣＲＴ１２，１４に「１．選曲番号００００００」というメッセージを表示し、選曲準備ができたことを表示する。
【００３９】
続いて、送信器６０のテンキー６８を操作して歌いたい曲の選曲番号を入力する。このとき、テンキー６８を押す毎に、そのテンキーの示す符号のコマンドデータが制御装置２０へ送信され、ＣＲＴ１２，１４に符号が表示される。たとえば、「２」を押すと、ＣＲＴ１２，１４に「１．選曲番号０００００２」と表示され、次に「１」を押すと、「１．選曲番号００００２１」と表示される。このようにして、順次テンキー６８を押して選曲番号の入力を行うと、その選曲番号がＣＲＴ１２，１４に表示されるとともに、その選曲番号を示す選曲番号データは、ＲＡＭ３８に一時保存される。
【００４０】
そして、選曲番号の入力が終了したときに演奏ボタン６４を押すと選曲が確定され、ＲＡＭ３８に記憶されている選曲番号データが読み出され、曲データの送信を要求するコマンドと共に、通信用モデム４２、通信端子３２および電話回線３１を介してホストコンピュータ９４へ送信される。
すると、ホストコンピュータ９４は、ＲＯＭ３９に記憶されている電話番号を読み出して、その電話番号が契約された正規のものであるかを確認する作業を行い、その確認後に上記選曲番号に対応する曲データが、ホストコンピュータ９４から電話回線３１を介して受信され、受信された曲データは、ハードディスクメモリ４３に蓄積される。
【００４１】
ここで、上記曲データの構成についてそれを示す図９を参照して説明する。
曲データ１００は、ＭＩＤＩデータＤ１、タイトル画および歌詞を含む歌詞映像データＤ２、固有名詞映像の位置を示すアドレスデータＤ３、歌詞映像にかかるテロップの色変わりのタイミングを示す色変わりタイミングデータＤ４、バックコーラスデータＤ５および曲のジャンルを特定するためのジャンルデータＤ６などのデータから構成される。
【００４２】
次に、曲データ１００に含まれる固有名詞映像を変更するために行われる制御装置２０のＣＰＵ３７および送信器６０のＣＰＵ７９による制御について図６および図７を参照して説明する。
図６は、ＣＰＵ３７の制御内容を示すフローチャートであり、図７は、ＣＰＵ７９の制御内容を示すフローチャートである。
なお、ここでは、上記選曲操作の後に固有名詞映像を変更するための変更ボタン７５が押されているものとする。また、歌詞映像には、「純子」という人の名前を示す固有名詞映像が含まれており、その「純子」という固有名詞映像を「直美」という固有名詞映像に変更するものとする。
【００４３】
まず、ＣＰＵ３７は、変更ボタン７５が押されていると判定すると（ステップ１００）、ハードディスクメモリ４３に格納されている歌詞データの中から固有名詞映像をアドレスデータＤ３に基づいて検索する（ステップ２００）。続いて、検索した固有名詞映像と、固有名詞映像を変更するための操作手順を説明するテロップをビデオＲＡＭ５２から読み出してＣＲＴ１２，１４に表示する。その表示は、たとえば、図１２に示すように、ＣＲＴ１２の画面の１行目に「次の名前をお好きな名前に変更できます。」と表示し、２行目に検索した固有名詞映像である「→純子」を表示し、３行目以降に「変更する場合は、送信器の変更ボタンを押し、タブレットに文字を書いてください。変更しない場合は、送信器の取消ボタンを押してください。」という内容の変更手順が表示される。
【００４４】
そして、送信器６０のＣＰＵ７９は、固有名詞映像の変更を取り消すための取消ボタン７６が押されているかを判定し（ステップ３０２）、取消ボタン７６が押されている場合には、取消信号を制御装置２０へ送信してＣＰＵ３７に変更の制御を中止させる（ステップ３０４）。
つまり、ＣＲＴ１２，１４に表示された固有名詞映像を見て変更を中止したい場合には、取消ボタン７６を押すことにより、変更を中止することができる。
【００４５】
続いて、取消ボタン７６が押されていない場合には、タブレット７４にペンなどで手書き入力された「直美」という文字の認識処理を行い（ステップ３０６）、認識した文字を液晶ディスプレイ６２に「直美」と表示する（ステップ３０８）。続いて、表示された次の文字を表示する次候補ボタン７７が押されている場合、つまり、手書き入力された文字が判読し難く、文字認識を誤っている場合には（ステップ３１０）、次の候補の文字を表示する（ステップ３１２）。
【００４６】
続いて、次のステップ４１４において文字の確定をするための終了ボタン７８が押されたと判定されるまで、上記ステップ３１０およびステップ３１２を繰り返し、終了ボタン７８が押されると、つまり、希望していた文字の「直美」が表示された場合には（ステップ３１４）、その文字を示す文字データをＲＡＭ８０に格納する（ステップ３１６）。続いて、変更ボタン７５が押されたか、つまり、まだ変更したい文字があるかを判定し（ステップ３１８）、変更したい文字がある場合には、ステップ３０６へ戻り、文字の変更処理を行う。
【００４７】
一方、変更ボタン７５が押されない場合には（ステップ３１８）、終了ボタン７８が押されたか、つまり、変更する文字の入力が終了したかが判定され（ステップ３２０）、終了ボタン７８が押されている場合には、ＲＡＭ８０に記憶されている「直美」を示す文字データを送信コマンドと共に変更信号として制御装置２０へ送信する（ステップ３２２）。
【００４８】
続いて、受信側である制御装置２０のＣＰＵ３７は、上記変更信号を受信すると（ステップ４００）、その変更信号に含まれる文字データに基づいて、フォントＲＯＭ４１から対応する文字データを読み出して新しい固有名詞映像としてＣＲＴ１２，１４に「直美」と表示し（ステップ５００）、歌詞データの中の固有名詞映像の「純子」を上記新しい固有名詞映像の「直美」に書き換える（ステップ６００）。
なお、新しい固有名詞映像が、所定の文字数を超える場合には、「文字数が多すぎます。入力をし直してください。」と表示するステップを設けることもできる。
【００４９】
また、タブレット７４に入力された文字をそのままデジタルデータ化して変更信号に含めて制御装置２０へ送信し、元の固有名詞映像と変更することもできる。
つまり、手書きの書体をそのまま固有名詞映像として用いる。これによれば、手書き文字の味を出すことができるため、より一層おもむきのあるカラオケをすることができる。
【００５０】
そして、固有名詞映像の書換えが終了すると、ＣＰＵ３７は、ハードディスクメモリ４３から曲データを読出し、この曲データに含まれるジャンルデータＤ６に対応する背景映像データがＬＤ再生装置４０によって再生され、ＣＲＴ１２，１４に表示される。
一方、曲データに含まれるＭＩＤＩデータＤ１は、音声制御回路４４に入力されるとともに、そのＭＩＤＩデータに対応するＭＩＤＩ音源４４１に書き込まれ、ＭＩＤＩ音源４４１から出力された音源データは、アンプ１６によって増幅可能なアナログの音楽信号に変換される。この音楽信号は、アンプ１６へ出力され、増幅された後にスピーカ９３，９３、スピーカ９０，９０へ出力され、両スピーカによって再生される。
【００５１】
また、マイク９１、または、マイク９２から入力された音声は、音声信号となって音声制御回路４４に入力され、上記音楽信号とミキシングされる。このミキシングされたミキシング信号は、アンプ１６へ出力され、増幅された後にスピーカ９３，９３、スピーカ９０，９０へ出力され、両スピーカによって音楽信号および音声信号が再生される。
つまり、利用者は、自分の選んだ曲をＣＲＴ１２、１４の画面に映し出された背景映像および歌詞映像を見ながらマイク９１、または、マイク９２を通して歌う（カラオケする）ことができる。
【００５２】
ここで、ＣＲＴ１２，１４の表示内容について図１０を参照して説明する。
図１０（Ａ）は、歌詞映像中の「純子」という固有名詞映像を変更する前の歌詞映像の説明図である、同図（Ｂ）は、「純子」という固有名詞映像を「直美」という固有名詞映像に変更した後の歌詞映像の説明図である。
図１０（Ａ）に示すように、背景映像２００の中に歌詞映像２０２がスーパーインポーズされており、歌詞映像２０２の中には、「純子」という固有名詞映像２０４が含まれている。そして、上記変更処理により、同図（Ｂ）に示すように、歌詞映像２０２の中の「純子」という固有名詞映像が、「直美」という固有名詞映像に変更されている。
【００５３】
このように、本実施形態のカラオケ装置によれば、歌詞映像に含まれている固有名詞映像を自分の好みの固有名詞を示す固有名詞映像に変更することができるため、歌と歌詞とが一致し、より一層親しみを持って歌うことができるし、場の雰囲気を盛り上げることができる。
【００５４】
ところで、曲データ１００には、色変わりタイミングデータＤ４が含まれており、この色変わりタイミングデータＤ４を検出したタイミングで歌詞映像にかけられたテロップの色が変わり、歌い手に歌の進行状態を知らせている。
ここで、原曲に含まれている固有名詞を変更した結果、固有名詞を構成する文字数が増減した場合には、固有名詞とその前後の歌詞データとの間隔を詰めたり、広げたりすることにより対応できるが、歌詞とテロップ表示とが同期しないという問題が生じる。
しかし、色変わりタイミングデータＤ４には、どこまで色を変えるかを示すデータが数値化されて含まれているため、その数値化されたデータを圧縮、または、拡張することにより、歌詞とテロップ表示とを同期させることができる（テロップの色変わりタイミング調整手段）。
【００５５】
歌詞とテロップ表示とを同期させる様子を図１１に示す。同図（Ａ）は、２文字で構成されていた固有名詞映像を１文字の固有名詞映像に変更した場合を示し、同図（Ｂ）は、１文字の固有名詞映像を３文字の固有名詞映像に変更した場合を示す。
同図（Ａ）に示すように、「純子」という２文字の固有名詞映像２０４を「愛」という１文字の固有名詞映像２０８に変更した場合は、「純子」にかけられたテロップの色を変える範囲を示すデータｎおよび（ｎ＋１）を１／２に圧縮することにより、タイミングをずらすことなくテロップの色を変えることができる。
【００５６】
また、同図（Ｂ）に示すように、「愛」という固有名詞映像２０８を「美奈子」という３文字の固有名詞映像の変更した場合は、「愛」の上ににかけられたテロップの色を変える範囲を示すデータｎおよび（ｎ＋１）を３倍に拡張することにより、タイミングをずらすことなくテロップの色を変えることができる。
【００５７】
次に、図８のフローチャートに示すように、ステップ２００において、歌詞データから固有名詞を検索した結果、固有名詞が存在するか否かをＣＲＴ１２，１４に表示するように構成することもできる（ステップ２１０）。
つまり、選曲される毎に、その曲に変更できる固有名詞が含まれているか否かを一律に検索して検索結果を表示する。
そして、固有名詞が存在する場合に、送信器６０の変更ボタン７５を押すことにより（ステップ２２０）、固有名詞および変更の手順をＣＲＴ１２，１４に表示する（ステップ３００）。また、終了ボタン７８を押した場合には（ステップ２３０）、変更処理を終了する。
この構成によれば、選曲された曲に固有名詞映像が含まれていることを一律に検索してその結果を表示することができる。
【００５８】
また、上記ステップ３００において表示された固有名詞が複数ある場合には、ステップ３０２として、変更を希望する固有名詞を選択するステップを設けることもできる。この場合、上記選択は、たとえば、音量調整ボタン６３を操作して変更したい固有名詞上にテロップ（カーソル）を移動させ、選曲ボタン６６を押すことにより、選択を確定する構成を採ることができる。また、固有名詞のそれぞれに番号を付しておき、その番号をテンキー６８で選択するようにしてもよい。
【００５９】
さらに、曲データ１００によっては、バックコーラスデータＤ５が含まれており（図９参照）、その曲データ１００を再生すると、演奏のバックで小さい音量で主旋律を歌う声が聞こえるようになっているものがある。これは、主として歌いやすくするためのものであるが、固有名詞を含む曲の場合に、その固有名詞の部分を他の固有名詞に置き換えて歌っても、不自然である。
そこで、上記固有名詞映像を変更した場合の構成を用い、固有名詞を示すバックコーラスデータＤ５を他のバックコーラスデータに変更することにより、歌詞映像および演奏を共に一致させることができるため、曲に対する親しみもより一層深いものとなり、カラオケの楽しみも倍増する。
【００６０】
なお、上記発明の実施形態では、固有名詞として人の名前を例に挙げて説明したが、たとえば、「横浜」を「名古屋」に変更するように、地名を変更できることは勿論である。また、文字の入力は、キーボードやタッチパネルを用いて行うこともできる。さらに、上記実施形態では、楽音再生装置として、通信カラオケ装置を代表に説明したが、曲データおよび背景映像が記録された光ディスクを再生するカラオケ装置にも本発明を好適に適用することができる。
【００６１】
ところで、上記タブレット７４と、ＣＰＵ３７により実行されるステップ１００ないしステップ６００と、ＣＰＵ７９により実行されるステップ３０２ないしステップ３２２とが、本発明の固有名詞映像変更手段として機能する。また、ＣＰＵ７９により実行されるステップ３０６ないしステップ３１６が、本発明の固有名詞映像作成手段として機能する。さらに、ＣＰＵ３７により実行されるステップ２００ないしステップ６００が、本発明の映像変換手段として機能する。
【００６２】
また、ＣＰＵ７９により実行されるステップ３０６が、本発明の文字識別手段として機能し、ステップ３０８ないしステップ３１６が本発明の映像作成手段として機能する。さらに、ＣＰＵ３７により実行されるステップ２００が本発明の識別情報検出手段として機能し、ＣＰＵ７９により実行されるステップ３０８が本発明の文字表示手段として機能し、ＣＰＵ３７により実行されるステップ２１０が本発明の表示手段として機能する。
【００６３】
【発明の効果】
以上のように、本発明によれば、歌詞映像情報に含まれる固有名詞映像を他の固有名詞映像に変更できる楽音再生装置を実現することができる。
【図面の簡単な説明】
【図１】  本発明実施形態のカラオケ装置の外観説明図である。
【図２】  （ａ）は、カラオケ装置に備えられた制御装置の前面パネルの説明図であり、（ｂ）は、制御装置の背面パネルの説明図である。
【図３】  カラオケ装置に備えられた送信器の説明図である。
【図４】  送信器の制御系を示すブロック図である。
【図５】  制御装置の制御系の構成を示すブロック図である。
【図６】  ＣＰＵ３７の制御内容を示すフローチャートである。
【図７】  ＣＰＵ７９の制御内容を示すフローチャートである。
【図８】  ＣＰＵ３７の制御内容を示すフローチャートである。
【図９】  曲データの構成を示す説明図である。
【図１０】  （Ａ）は、固有名詞映像を変更する前のＣＲＴ１２の表示内容を示す説明図であり、（Ｂ）は、固有名詞映像を変更した後のＣＲＴ１２の表示内容を示す説明図である。
【図１１】  （Ａ）は、２文字の固有名詞映像を１文字の固有名詞映像に変更する場合のテロップの色変わりの範囲を示す説明図であり、（Ｂ）は、１文字の固有名詞映像を３文字の固有名詞映像に変更する場合のテロップの色変わりの範囲を示す説明図である。
【図１２】  ＣＲＴ１２の表示内容示す説明図である。
【符号の説明】
１０          カラオケ装置
１２、１４    ＣＲＴ
１６          アンプ
２０          制御装置
３１          電話回線
３７、７９    ＣＰＵ
４０          ＬＤ再生装置
４３          ハードディスクメモリ
４４          音声制御回路
４５          映像制御回路
６０          送信器
７４          タブレット
９４          ホストコンピュータ
【図１】
0003872842.tif 000002
【図２】
0003872842.tif 000003
【図３】
0003872842.tif 000004
【図４】
0003872842.tif 000005
【図５】
0003872842.tif 000006
【図６】
0003872842.tif 000007
【図７】
0003872842.tif 000008
【図８】
0003872842.tif 000009
【図９】
0003872842.tif 000010
【図１０】
0003872842.tif 000011
【図１１】
0003872842.tif 000012
【図１２】
0003872842.tif 000013